Podtech/llm-jp-corpus-v4-ja_patent huggingface dataset:
(57)【要約】【課題】宴席等におけるグラスタワーの演出において、従来方式の単調な視覚効果を改善するため、個々のグラスを独立して発光させ、その相乗効果により複雑な視覚効果を演出する装置と手法を提供する。【解決手段】球体発光物（図１）をグラスの中に置き、液体を注ぐことにより電気的に発光させる.各々のグラスが独立した発光を行い、複雑な視覚効果を演出させる。【選択図】図１
2005129395.tif 000002
【特許請求の範囲】
【請求項１】
グラスに液体を注ぐことにより発光する装置において、グラスの水位に反応し、回転による位置変化で発光する、球状の発光装置。
【請求項２】
前記の水位に反応する手段は、重心を偏心させた球状物を浮力により重心を下にさせ安定を保つ働きを利用し、その検出をマーキュリースイッチにて行ないスイッチが閉状態になった時に、ＬＥＤを発光させる装置である。
【発明の詳細な説明】
【技術分野】
【０００１】
この発明は、宴席等でおこなうグラスタワーの演出においてグラス内に入れた球状発光物により視覚的効果を向上させるための装置と使用方法に関するものである。
【背景技術】
【０００２】
従来のグラスタワーは、外部からの照明による演出であり、単調な照明効果しか出来なかった。また、グラスに注ぐ液体に蛍光発光物質を混合した手法、特開  平１０−１７２３０１があるが、この方法もグラス全体が単一色になってしまっていた。
【発明の開示】
【発明が解決しようとする課題】
【０００３】
本発明者はそれらの欠点を無くして、グラスに注入する液体に同調して発光物が点灯していくようにし、またグラスそれぞれを異なる色の光に発光可能なため、視覚的効果を向上させるようにしたものである。
【課題を解決するための手段】
【０００４】
本発明は個別のグラスが独立した発光効果を発揮するために次のような手段を講じた。
【０００５】
１  グラス内に球状発光物（図１）の重心を上にして置く（図３−Ａ）。球体を安定させるため台座（１）を取り付けた。
【０００６】
２  グラスに液体を注ぎ入れると球体は浮力により浮き上がり台座の効果は無くなり重心は下に向かう（図３−Ｂ）結果、反転状態（図３−Ｃ）となる。この状態を検出するため、マーキュリースイッチ（５）を用いた。
【０００７】
３  マーキュリースイッチが導通状態となることにより、回路を動作させＬＥＤ（８）を点灯させる。
【０００８】
４  球状発光物は防水能力と浮力を維持するため、本来は密閉状態とすべきだが、電池交換その他の保守性を考え上下分離する構造（図２−Ｂ）とし、接合部分はネジ（１０、１１）とパッキン（９）により防水性を保持させた。
【発明の効果】
【０００９】
以上のことにより、液体の注入に同調し、各々のグラスを発光により浮かび上がらせることができる。
【００１０】
また、使用するＬＥＤを点滅式・多色発光型などに変更することで、より一層の視覚的効果を得ることができる。
【発明を実施するための最良の形態】
【００１１】
本発明物の構造を図２とした。
【００１２】
次に球体発光物の置かれたグラスに液体を注入した時の変化の流れを図３に示す。
【００１３】
そして、ＬＥＤが発光する効果は、直接グラスを浮かび上がらせるほかに、下部のグラスに対しても照明効果が及ぶ。
【図面の簡単な説明】
【００１４】
【図１】本考案の斜視図である。
【図２】本考案の一部を切り欠いた側面図である。（Ａ内臓装置を含む、Ｂケース構造）
【図３】本考案装置の動作概要図である。
【符号の説明】
【００１５】
１  台座
２  ケース
３  電池ホルダー
４  プリント基板
５  マーキュリースイッチ
６  平型ボタン電池
７  浮力・重心調整オモリ
８  ＬＥＤ
９  パッキン
１０  ネジ
１１  ネジ
【図１】
2005129395.tif 000003
【図２】
2005129395.tif 000004
【図３】
2005129395.tif 000005
(57)【要約】【課題】  電流容量を大きくすると共に、一方側にのみ屈曲を可能とする。【解決手段】  フラットケーブル１は合成樹脂から成る２枚の絶縁シート２、３により複数本の金属箔導体４が挟着され、全体として帯状に形成し、絶縁シート２、３に対する熱処理により横断面が円弧状に形成されている。そして、フラットケーブル１の弯曲内面側には、複数本の被覆電線５がフラットケーブル１の長手方向に沿って接着されている。  このように構成した複合可撓電線体においては、フラットケーブル１は内側の絶縁シート３側に屈曲することはできるが、外側に屈曲することは困難であり、被覆電線５もフラットケーブル１に追従して、全体として一方向側にしか屈曲することはできない。また、大きな電流は被覆電線５を用いて通電することができる。【選択図】  図１
2005129280.tif 000002
【特許請求の範囲】
【請求項１】
合成樹脂から成る２枚の絶縁シートにより金属箔導体を挟着した帯状のフラットケーブルの横断面を円弧状に弯曲し、該弯曲内面に複数本の被覆電線を沿わせたことを特徴とする複合可撓電線体。
【請求項２】
前記被覆電線は前記フラットケーブルの表面に接着したことを特徴とする請求項１に記載の複合可撓電線体。
【請求項３】
前記フラットケーブル、被覆電線に合成樹脂から成る可撓性を有する筒体を被覆したことを特徴とする請求項１又は２に記載の複合可撓電線体。
【請求項４】
前記筒体は断面偏平状としたことを特徴とする請求項３に記載の複合可撓電線体。
【発明の詳細な説明】
【技術分野】
【０００１】
本発明は、例えば移動体の移動に対し、屈曲によって追従可能な複合可撓電線体に関するものである。
【背景技術】
【０００２】
例えば、自動車のスライドドア、可動ウインドウなどにおいては、ヒータやモータに対して給電を必要とする場合がある。
【発明の開示】
【発明が解決しようとする課題】
【０００３】
電線を移動体の移動に追従させる場合に、通常の電線は何れの方向に対しても屈曲可能である。しかし、複雑な移動が要求される場合には、屈曲の方向が定まらないことがあり、付近の部材に絡まったり、捻れたりして疲労し易く、耐久性に欠けることがある。
【０００４】
このような問題を解決するために、特許文献１には断面を円弧状に弯曲して、一方向にのみ弯曲し得るようにすると共に耐屈曲性を向上させるフラットケーブルが開示されている。
【０００５】
しかしフラットケーブルにおいては、大きな電流を通電するだけの電流容量を備えていないのが普通である。
【０００６】
【特許文献１】特開平６−３３８１８５号公報
【０００７】
本発明の目的は、上述した問題点を解消し、一方向側にのみ屈曲可能にすると共に、大きな電流容量を持つ複合可撓電線体を提供することにある。
【課題を解決するための手段】
【０００８】
上記目的を達成するための本発明に係る複合可撓電線体は、合成樹脂から成る２枚の絶縁シートにより金属箔導体を挟着した帯状のフラットケーブルの横断面を円弧状に弯曲し、該弯曲内面に複数本の被覆電線を沿わせたことを特徴とする。
【発明の効果】
【０００９】
本発明に係る複合可撓電線体は、フラットケーブルの横断面を円弧状に弯曲し、この弯曲内面に被覆電線を沿わせたため、被覆電線を用いて電流容量を大きくできる。
【００１０】
またフラットケーブルの円弧の内面側にのみ屈曲可能となり、不要な捻れ、膨らみなどが生じないので、操作性が良好となり、かつ耐久性が向上する。
【発明を実施するための最良の形態】
【００１１】
本発明に係る複合可撓電線体においては、前記被覆電線は前記フラットケーブルの表面に接着したことを特徴とする。
【００１２】
本発明に係る複合可撓電線体においては、前記フラットケーブル、被覆電線に合成樹脂から成る可撓性を有する筒体を被覆したことを特徴とする。
【００１３】
本発明に係る複合可撓電線体においては、前記筒体は断面偏平状としたことを特徴とする。
【実施例１】
【００１４】
図１は実施例１の斜視図を示している。フラットケーブル１は合成樹脂から成る２枚の絶縁シート２、３により複数本の金属箔導体４が挟着され、全体として帯状に形成されている。そして、フラットケーブル１の弯曲内面側には、複数本の被覆電線５がフラットケーブル１の長手方向に沿って接着されている。
【００１５】
このフラットケーブル１には並列された複数本の金属箔導体４を絶縁シート２、３によって接着し、図２に示すように絶縁シート２、３を所望幅の帯形状に切断して製作される。
【００１６】
次いで、図３に示すように絶縁シート２、３に対する熱処理により、フラットケーブル１の横断面は円弧状に形成される。例えば、絶縁シート２、３の厚みは下側の絶縁シート２が上側の絶縁シート３よりも厚くされており、肉厚が薄い側の絶縁シート２が内側になって弯曲されている。これは肉厚が薄い絶縁シート２を内側にした方が弯曲が容易となるためである。
【００１７】
このように構成した複合可撓電線体６においては、フラットケーブル１は内側の絶縁シート３側に屈曲することはできるが、外側に屈曲することは困難である。従って、被覆電線５もフラットケーブル１に追従して、全体として一方向側にしか屈曲することはできない。
【００１８】
また、微弱な電流で済む信号などはフラットケーブル１の金属箔導体４により通電し、大きな電流は被覆電線５を用いて通電する。
【００１９】
この複合可撓電線体６を円弧の内面同士が向き合うようにして、図４に示すようにＵ字状に折り返し、一端を固定体７に接続し、他端を移動体８と結合すると、移動体８の移動につれ、複合可撓電線体６はこのＵ字状を維持しながら点線に示すように整然と追従する。
【実施例２】
【００２０】
図５は実施例２の断面図を示し、フラットケーブル１と被覆電線５に対し、合成樹脂から成り可撓性を有する筒体９が被覆されている。
【００２１】
この筒体９はフラットケーブル１、被覆電線５の損傷などを防止すると共に水の浸入を防ぎ、寒冷地等ではフラットケーブル、被覆電線５が硬化することを防止することができる。なお、この場合に筒体９を断面を偏平状にしておくと屈曲がより容易となる。
【図面の簡単な説明】
【００２２】
【図１】実施例１の斜視図である。
【図２】フラットケーブルの製造時の断面図である。
【図３】フラットケーブルを製造時に弯曲させた状態の断面図である。
【図４】作用説明図である。
【図５】実施例２の断面図である。
【符号の説明】
【００２３】
１  フラットケーブル
２、３  絶縁シート
４  金属箔導体
５  被覆電線
６  複合可撓電線体
７  固定体
８  移動体
９  筒体
【図１】
2005129280.tif 000003
【図２】
2005129280.tif 000004
【図３】
2005129280.tif 000005
【図４】
2005129280.tif 000006
【図５】
2005129280.tif 000007
(57)【要約】      （修正有）【課題】電子カーペットや電気毛布の電気ヒーターに適用される低周波電磁波の抑制方法を提供する。【解決手段】電気ヒーター１に導電部材のシールド３を覆って一体形成する。導電部材は透孔質（孔アキ）でないほど効果大で、抑制の効果は電磁波の漏洩を１／１０以下とすることが可能である。【選択図】図１
2005129878.tif 000002
【特許請求の範囲】
【請求項１】
電気ヒータに導電部材のシールドを覆って一体形成することにより低周波電磁波の漏洩を抑えるようにした低周波電磁波の抑制方法。
【発明の詳細な説明】
【発明の詳細な説明】
【産業上の利用分野】
【０００１】この発明は低周波電磁波の抑制方法を施した電気ヒータに関する。
【従来技術の問題点】
【０００２】  低周波の電磁波環境について欧米の研究機関は人体への影響を否定したが、日本に於いては、他の見解に捉われない独自の研究を平成９年から始めた。いずれにしても日常生活で低周波電磁波の発生は少ないことがより望ましいのは当然である。
電子カーペットや電気毛布は低周波の電磁波を発生するものとして、これの抑制方法につき、電気ヒータに２本の異なった向きの熱線を巻き付けるものが提案されている。しかしこの構造の電気ヒータは複雑で製造コストが高くつき価格のアップという問題を有する。
【課題を解決するための手段】
【０００３】  この発明は、電気ヒータ（単体あるいは組全体）に少なくとも人体に接する側を導電部材のシールドで一体的に覆うことにより低周波電磁波の漏れを抑制するものである。導電部材は例え３００メッシュという高メッシュでも効果を半減し透孔質でないことが重要である。
【０００４】
【実施例】この発明の一実施例を図１に示す。
【図面の簡単な説明】
【図１】この発明の要部の断面図である。
【符号の説明】
１．電気ヒータ、２．絶縁被覆層、３．シールド
【図１】
2005129878.tif 000003
(57)【要約】      （修正有）【課題】排気口に接着して、その粘着性で粉塵を捕捉する際に、電気掃除機に負荷をかけたり、排気力を落とさず、粘着性を持続させる粘着フィルターを提供する。【解決手段】排気口に、水糊と植物油等の撹拌混合液を予め塗布した布等のフィルターを接着して、粉塵をとる。使用当初は、水糊の粘着力で粉塵を捕捉し、排気の熱で水糊が乾燥して澱粉の層を作り、粘着力が落ちてくると、植物油等が溶けて穴を穿ち、穴の周囲は、植物油等の粘着力によって粉塵を粘着して、粉塵を捕捉し続ける。フィルターに植物油等が穴を穿つことによって排気力は落ちない。【選択図】なし【特許請求の範囲】
【請求項１】
電気掃除機から出る排気に含まれる粉塵を捕捉するために使用する粘着フィルター（１）。
【発明の詳細な説明】
【発明の詳細な説明】
【技術分野】
【０００１】  この発明は、布（２）等をフィルター（１）として、水糊（３）と植物油（４）等の撹拌混合液を予め塗布して粘着性を持たせるフィルター（１）に関するものである。
【背景技術】
【０００２】  従来は、フィルターに水糊を流し続けて粘着性を持続してきたが、電気掃除機を長時間使用して、水糊が無くなると、フィルターが乾燥して目詰まりをおこし、排気が著しく損なわれていた。
【発明が解決しようとする課題】
【０００３】  本発明は、電気掃除機の排気力を落とさず、粘着性を持続して粉塵を除去できるフィルター（１）の研究、開発が課題である。
【課題を解決するための手段】
【０００４】  電気掃除機の排気力を落とさず、電気掃除機に負荷をかけないために、フィルター（１）に通気性の高い粗い目の布（２）等を使用するが、粉塵を素通りさせないために、水糊（３）と植物油（４）等の撹拌混合液を予め塗布しておく。
電気掃除機の使用当初は、水糊（３）の粘着力で粉塵を捕捉するが、排気の熱で水糊（３）が乾燥して澱粉の層（９）をつくり粘着力が落ちてくると、植物油（４）等の粒が排気の熱で溶けて穴（１０）を穿ち、穴（１０）の周囲は、植物油（４）等の粘着力によって粉塵を粘着して、粉塵を捕捉し続ける。
【発明実施の形態】
【０００５】  フィルター（１）になる布（２）等を２枚の窓（５）を穿った加工紙の枠（６）で挟み込んで接着し、窓（５）の布（２）等の部分に水糊（３）と植物油（４）等の撹拌混合液を塗布しておく。加工紙の枠（６）の一方を接着面として、保護紙（７）を貼っておき、電気掃除機の使用前に、保護紙（７）をとって排気口に貼りつけて使用する。撹拌混合液を塗布したフィルター（１）を密封包装材（８）で包装して、水糊（３）と植物油（４）等の乾燥を防ぎながら使用法を簡単にした。
【発明の効果】
【０００６】  電気掃除機の排気口に貼るフィルター（１）に、水糊（３）と植物油（４）等の撹拌混合液を塗布することによって、水糊（３）の乾燥する迄の粘着性と植物油（４）が溶けて穴（１０）を穿った後の粘着性が前後して継続するため、粉塵を捕捉する効果は持続する。
電気掃除機用粘着フィルター（１）は、細菌やカビ、花粉やダニの死骸等のアレルゲン、アスベスト等の発癌物質を粘着除去して、掃除中も部屋の空気を汚さず、病人や老人、乳幼児等の抵抗力の弱い人がいる部屋でも電気掃除機の使用が可能になった。
2005230484.tif 000002
(57)【要約】      （修正有）【課題】本発明は音名を簡単に覚えられるようにした音符カードに関するものである。【解決手段】各カードに音階の１３音を記載したものを１組としてそれを４組とジョーカー１枚の５３枚を１セットとし、記載面は１組ごとに色分けをした音符トランプ。【選択図】図１
2005230483.tif 000002
【特許請求の範囲】
【請求項１】
各カードに音階の１３音の音符や音名を記載したものを１組として、それを４組とジョーカー１枚の５３枚を１セットとし、記載面を１組ごとに色分けをした音符トランプ。
【発明の詳細な説明】
【技術分野】
【０００１】  本発明は、音名を覚えるための音符カードに関するものである。
【背景技術】
【０００２】  従来、音符カードは各種作られてきた。
【発明の開示】
【発明が解決しようとする課題】
【０００３】  しかし従来作られてきた音符カードは単に音符を書いただけのカードであったり発展性がなかった。本考案はこのカードを使うことにより遊び感覚で音名を覚えることができるようにしたものである。
【課題を解決するための手段】
【０００４】  上記の目的を達成するため考えた本発明は、例えば各カードに音階の低いシから高いソまでの１３音を記載したものを１組として、それを４組とジョーカー１枚の５３枚を１セットとする。記載面は１組ごとに色分けをし、裏面は５３枚とも同色とする。以上を特徴とする音符トランプである。
【発明の効果】
【０００５】  本発明は、遊びながら音名を覚えることができる。
【発明を実施するための最良の形態】
【０００６】  本発明を図面を参照して説明する。図１は本発明に係る音符トランプカード１枚の平面図である。図１に示すように音階の各音符１が書かれた記載面を色分けする。例えば音階の低いシから高いソまでの１３音を記載したものを１組として同色にし、色分けした４組とジョーカー１枚の５３枚を１セットとする。裏面は１セット同色とする。また図２に示すように音名２を記載したものも１セットとする。従来のトランプの数字やマークの替わりに音符音階音名カラー等を使って使用する。使用方法はトランプと同じく色々なゲームができる。初心者は図２の音名入りカードで遊び、音名を覚えると図１の音符のみのカードに替えていく。以上のように音名を遊びの中から楽しく覚えられるようにした音符トランプである。
【図面の簡単な説明】
【０００７】
【図１】音符トランプカードの表面の平面図
【図２】音名が入った音符トランプカードの平面図
【符号の説明】
１音階音符記載
２音階音符音名記載
【図１】
2005230483.tif 000003
【図２】
2005230483.tif 000004
(57)【要約】      （修正有）【課題】補綴物の維持及び咬合の改善による、食事時の不快感解消及び審美的効果により、全身的健康増進、精神安定をもたらし、ボケ防止に貢献する。【解決手段】顎骨や歯牙に超強力永久陽極磁石を埋入し、補綴物には超強力永久陰極磁石を埋入することにより、現在の歯科現場で重大な問題である補綴物の維持及び咬合の改善をはかり、食事時の不快感解消及び審美的効果により、全身的健康維持増進及びボケ防止に貢献するものである。【選択図】 図１
2005230488.tif 000002
【特許請求の範囲】
【請求項１】
顎骨や歯牙に超強力永久陽極磁石を埋入して補綴物に超強力永久陰極磁石を埋入して補綴物の維持及び咬合の改善をはかり全身的健康維持増進及びボケ防止に貢献する口腔内補綴物
【発明の詳細な説明】
【技術分野】    口腔内補綴物
「背景技術」
「顎骨や歯牙に超強力永久陽極磁石を埋入して補綴物に超強力永久陰極磁石を埋入して補綴物の維持及び咬合の改善を行い全身的健康維持増進及びボケ防止に貢献する技術。
「課第を解決する為の手段」
「顎骨や歯牙に超強力永久陽極磁石を埋入して補綴物に超強力永久陰極磁石を埋入する。」
「発明の効果」
「顎骨や歯牙に超強力永久陽極磁石を埋入して補綴物に超強力永久陰極磁石を埋入して補綴物の維持及び咬合の改善をはかり全身的健康維持増進及びボケ防止に貢献する事が出来る」
「実施例」
現在の歯科現場では補綴物の維持が重大な問題でこれが改善できれば全身的健康が飛躍的に増進出来又食事時の不快感が解消出来て審美的にも効果がある為精神的にも安定状態をもたらす事が出来る。
「産業上の利用可能性」
歯科補綴業界が革命的に変化する。
【図面の簡単な説明】
【図１】下顎骨側面図、臼歯側面図、前歯側面図
【図２】義歯側面図、人工歯側面図
【図１】
2005230488.tif 000003
【図２】
2005230488.tif 000004
(57)【要約】【課題】  人生高齢化時代を生きる為に厚生労働省の進める筋力トレーニングなど心身機能の悪化を防ぐ、新たな介護の予防の一環で家の内で安全な方法での其の予防を目的とする。【解決の手段】  鉄棒１の両端を下方に折り曲げ主柱２として基台４の円筒３の内部を軸として長方形の基台４と鉄棒１に９０度広げて鉄棒の役を発揮させ、亦長方形の基台４を平行に閉じてコンパクトな形体を保たせる。【選択図】  図３
2005230489.tif 000002
【特許請求の範囲】
【請求項１】
鉄棒の両端を下方に折り曲げ主柱とし、基台に取付けて手軽に持ち運び自立させて利用する、寝て使用する鉄棒。
【請求項２】
鉄棒の左右２本の主柱２をそれぞれの長方形の基台ベース４の円筒３の内部を軸に、鉄棒１に基台ベース４を平行に折りたたんでコンパクトに収納し、基台ベースを９０度広げて鉄棒として踏ん張を強くする、寝て使用する鉄棒。
【発明の詳細な説明】
【発明の詳細な説明】
【０００１】  本発明は施設場でなく、家庭で安全に寝た姿勢で鉄棒を利用して上半身の筋力トレーニングをしようとするものである。
【０００２】  本発明は家庭の内で簡単に持ち運び利用・片付けのできる構造物で使用時は左右の長方形の基台ベース４を鉄棒１に９０度広げ自立させ身体を床に上向きに寝て、胸と肩の中央の上に鉄棒１を設けて両手で鉄棒を握り締め力をこめて腕の伸縮運動に合せ上半身を寝起する運動を適時、努力し続ける間に握力・腕・肩・胸部・腹部等に筋力の強化となって表れてくる。
【０００３】  本発明は基台ベース４と円筒３は一体に固定されてあり、円筒３の内部の主柱２を接触の部分に従軟材６を平ワッシャ７と袋ナット８の間に挟み円筒３の上部ボルトねじの締め付け調整で支柱２の接触の部分に適度の摩擦抵抗を持たせて基台ベース４を鉄棒１と平行・９０度開の形態を保持させる。円筒３のピン穴９とピン５で鉄棒１の高さを選定すれば、使用時、主柱２の下部に逆凹形のカムの溝に鉄棒１に加重させ重みで主柱２が定着する。
【図面の簡単な説明】
【図１】  外観図  左の基台ベースは使用時、右の基台ベースは収納時を表す。
【図２】  主柱と円筒の断面図（９０度開）
【図３】  使用時のイメージ図
【符号の説明】
１．鉄棒
２．主柱
３．円筒
４．基台ベース
５．ピン
６．従軟材
７．平ワッシャ
８．袋ナット
９．ピン穴
【図１】
2005230489.tif 000003
【図２】
2005230489.tif 000004
【図３】
2005230489.tif 000005
(57)【要約】【課題】  小学生は治安の悪化に伴い防犯ブザー等を携帯することが多くなっているが、不審者に襲われそうになったとき小学生にも手が届きやすいランドセルの背負いベルトの胸のあたりに防犯ブザー等を取り付ける必要がある。従来では、面ファスナの付いた一対の留めベルトにより、背負いベルトに巻きつける箱状の防犯ブザー収納ケースがあるが、収納ケースに収まる防犯ブザーの大きさが限られており任意の防犯ブザーを取り付けられないという欠点、収納ケースがずり下がるという欠点がある。そこで、本発明は、ランドセルの背負いベルト等に、任意の防犯ブザー等をずり下がらないように取り付けることができる装置の提供を課題とする。【解決手段】  背負いベルト等が通される通路１を有する肩パッド２に、吊り下げ帯体やリング等の吊下部材３を設けた吊り下げ機能付き肩パッドとする。【選択図】  図１
2005230481.tif 000002
【特許請求の範囲】
【請求項１】
背負いベルト等が通される通路１を有する肩パッド２に、吊り下げ帯体やリング等の吊下部材３を設けた吊り下げ機能付き肩パッド
【請求項２】
背負いベルト等が通される通路１を有する肩パッド２に、吊り下げ帯体やリング等の吊下部材３を２ヶ所に設けた吊り下げ機能付き肩パッド
【請求項３】
背負いベルト等が通される通路１を有する肩パッド２に、吊り下げ帯体やリング等の吊下部材３を３ヶ所以上に設けた吊り下げ機能付き肩パッド
【発明の詳細な説明】
【技術分野】
【０００１】  この発明は、ランドセルの背負いベルト等に、防犯ブザー等を取り付けることができる装置に関するものである。
【背景技術】
【０００２】  従来では、背負いベルトを通すベルトがついた箱状の防犯ブザー収納ケース、又は面ファスナの付いた一対の留めベルトにより背負いベルトに巻きつける箱状の防犯ブザー収納ケースがある。
【特許文献】  特許出願２０００−９６９８９
【発明の開示】
【発明が解決しようとする課題】
【０００３】  小学生は治安の悪化に伴い防犯ブザー等を携帯することが多くなっているが、不審者に襲われそうになったとき小学生にも手が届きやすいランドセルの背負いベルトの胸のあたりに防犯ブザー等を取り付ける必要がある。従来では、面ファスナの付いた一対の留めベルトにより、背負いベルトに巻きつける箱状の防犯ブザー収納ケースがあるが、収納ケースに収まる防犯ブザーの大きさが限られており任意の防犯ブザーを取り付けられないという欠点、収納ケースがずり下がるという欠点がある。そこで、本発明は、ランドセルの背負いベルト等に、任意の防犯ブザー等をずり下がらないように取り付けることができる装置の提供を課題とする。
【課題を解決するための手段】
【０００４】  背負いベルト等が通される通路１を有する肩パッド２に、吊り下げ帯体やリング等の吊下部材３を設けた吊り下げ機能付き肩パッドとする。
【発明の成果】
【０００５】  肩パッドがランドセルの重さで背負いベルトと肩に挟まれずり下がらないため、肩パッドに吊り下げた防犯ブザー等は、常に、小学生が不審者に襲われそうになったときにすぐに手の届きやすい胸の位置にある。
【発明を実施するための最良の形態】
【０００６】  背負いベルト等が通される通路１を有する肩パッド２に吊り下げ帯体やリング等の吊下部材３を設けた吊り下げ機能付き肩パッドに、防犯ブザー等を吊り下げ、背負いベルトに通す。
【実施例】
【０００７】  背負いベルト等が通される通路１を有する肩パッド２に吊り下げ帯体やリング等の吊下部材３を２ヶ所に設けた吊り下げ機能付き肩パッドに、一方の吊下部材に防犯ブザー等を吊り下げ、背負いベルトに通し、他方の吊下部材は連結具等によりランドセルの背輪等と連結させる。これにより、防犯ブザー等はより確実にずり下がらないようにできる。【０００８】  背負いベルト等が通される通路１を有する肩パッド２に吊り下げ帯体やリング等の吊下部材３を３ヶ所以上に設けた吊り下げ機能付き肩パッドに、一つの吊下部材に防犯ブザー等を吊り下げ、背負いベルトに通し、他の吊下部材には様々なものを吊り下げる。
【図面の簡単な説明】
【０００９】
【図１】  吊下部材を設けた吊り下げ機能付き肩パッドの全体図
【００１０】
【図２】  吊下部材を２ヶ所に設けた吊り下げ機能付き肩パッドの全体図
【符号の説明】
【００１１】  １  通路
２  肩パッド
３  吊下部材
【図１】
2005230481.tif 000003
【図２】
2005230481.tif 000004
(57)【要約】【課題】倒れ防止器具を備えた傘を提供する。【解決手段】  傘の軸の先端に可動式ペダルを取り付け、そのペダルを傘の倒れ防止器具として使用する手段を備えていることを特徴とする。【選択図】図１
2005230486.tif 000002
【特許請求の範囲】
【請求項１】
傘の軸の先端に、可動式ペダルを備えていることを特徴とする倒れ防止器具付きの傘。
【発明の詳細な説明】
【技術分野】
【０００１】  本発明は、倒れ防止器具を備えた傘に関する。
【背景技術】
【０００２】  傘は、軸部と、軸部の一端から放射状へ延びるリブと、リブ間に張られた防水性の布と、軸部の他端に固定される柄とで構成される。【０００３】  柄の形状は逆Ｊの字型が一般的であり、Ｉの字型のものもある。【０００４】  電車等の公共交通に乗車した時の傘の倒れ防止手段は、手すりに逆Ｊ字型の柄を引っ掛ける、ドア等に立て掛けるといった手段がある。それ以外の場合は手でもっていることになる。
【発明の開示】
【発明が解決しようとする課題】
【０００５】  しかし、乗車位置によっては、付近に傘を掛けられる手すりや傘を立て掛けられるドア等はない。そのような位置に乗車した場合、片手で傘をもつのが一般的な倒れ防止手段である。【０００６】  そのため、晴天時など傘を持っていない時の乗車と較べ、新聞や雑誌を読むといった行為は片手で行わねばならないという煩わしさが生じる。【０００８】  この発明は、このような事情に鑑みてなされたもので、その課題は、乗車位置によらず、手を使わない倒れ防止手段を備えた傘を提供することである。
【課題を解決するための手段】
【０００９】  前記の課題を解決するために、請求項１記載の発明において、傘の軸の先端に可動式ペダルを備え、そのペダルを傘の倒れ防止器具として使用する手段を備えていることを特徴とする。【００１０】  例えば、電車等の乗車時は、軸先端のペダルを傘の軸方向に対して９０度屈折させ、そのペダルを足で踏み、傘が倒れることを防止する。
【発明の効果】
【００１１】  上記のとおり、本発明の倒れ防止器具付き傘の使用により、電車等の公共交通乗車時において、その乗車位置によらず、傘の倒れを足で防止でき、両手の使用が可能になる。そのため、新聞や雑誌の購読を片手で行なうという煩わしさが解消される。
【発明の実施するための最良の形態】
【００１２】  以下、本発明の実施の形態を図１〜図５に基づいて説明する。
【００１３】  図１は、この傘の斜視図である。従来の傘の軸の先端は棒状であるが、本発明の傘は、軸の先端に可動式ペダル５が接続されている。
【００１４】  図２に軸１の先端とペダル５の接続部を示す。軸１の先端とペダル５の上部の棒状に突き出た部分に下穴を開け、両者をワッシャー７を挟みリベット６で接続させる。このリベット６を回転軸とすることでペダル１が可動となる。
【００１５】  図３は、リベット６を回転軸としてペダル５を９０度屈折させた状態を示す。
【００１６】  ペダルの可動方向は、逆Ｊ字型の柄の曲線方向に合わせる方が好ましい。
【００１７】  図４に示すように、電車等の公共交通乗車時には、座っているときも立っているときでも、足で９０度屈折させたペダル５を踏むことで傘の倒れを防止し、両手が使える状態になる。さらに、壁等に立て掛ける場合でも、適度に曲げたペダル５を支えとし、傘の倒れを防止することも可能となる。
【００１８】  ペダル５を動かすには、図５に示すようにペダル５を接地させた状態で、傘の柄を手で持ち動かす。そのため、操作が容易であり、手がぬれることもない。さらに、ペダル５を軸に対して水平にすることで、一般的に使用されている傘立てに置く際にも支障はない。
【００１９】  ペダルの材質は、耐久性、強度かつ軽量性を備えることから金属類やプラスチック類などがよい。その形状は、図１のような板型だけでなく、輪型などの形状でもよい。
【００２０】  ペダルの大きさは、通常の傘立てに納まる範囲であればよい。
【００２１】  軸の下穴の位置は、図２に示すようにリブ接続部８に近いほうが、傘全体の長さを短くできるため好ましい。
【００２２】  先端の可動部の構造は、上記と同様の効果が得られるのであれば、リベットによる接続以外の方法でもかまわない。
【図面の簡単な説明】
【００２３】
【図１】図１は本発明の倒れ防止器具付き傘の全体の斜視図である。
【図２】図２は傘の軸と倒れ防止器具の接続部を示した図である。
【図３】図３は倒れ防止器具を９０度屈折させた状態の斜視図である。
【図４】図４は本発明の倒れ防止具の使用例を示す図である。
【図５】図５は倒れ防止器具であるペダルの可動方法を示す図である。
【符号の説明】
【００２４】    １  傘の軸
２  リブ
３  防水性の布
４  布
５  ペダル
６  リベット
７  ワッシャー
８  リブ接続部
【図１】
2005230486.tif 000003
【図２】
2005230486.tif 000004
【図３】
2005230486.tif 000005
【図４】
2005230486.tif 000006
【図５】
2005230486.tif 000007
(57)【要約】【発明の目的】ファーズの羅患に対する予防方法の確立。【構成】  ファーズに対して殺菌効果が確認されている界面活性剤を使用している石鹸水に布を漬けて乾燥させ、別の布を重ねてマスクにする。【効果】  界面活性剤のファーズ菌に対する殺菌効果が確認されているので、空気感染は防げる。【選択図】  図１
2005230478.tif 000002
【特許請求の範囲】
【請求項１】
重症呼吸器症候群の罹患予防用マスクとして、界面活性剤をマスクの表面の布に含浸させ、それによってファーズを始めとする細菌を殺菌して、人体に過剰に界面活性剤を吸入しないために表面の布の内側に別の布を当ててマスクとして使用することによって細菌の人体に生きたままの浸入するのを防止する方法。
【請求項２】
実際に，ファーズ菌に対して殺菌効果が確認されている界面活性剤を使用している石鹸水にマスクの布を浸し、それを乾かして別の布をそれに重ねてマスクとして使用する方法。
【発明の詳細な説明】
【技術分野】
【０００１】この発明は、ファーズによる世界的流行の予防対策として空気伝染を予防する技術分野です。
【技術背景】
【０００２】ファーズによる世界的流行に対して、界面活性剤により石鹸水がファーズ菌を殺菌する効果があることが確認されていますが，まだ，人体えの予防手段は確立されていません。
【発明の開示】
【０００３】ファーズ菌に対して殺菌効果が確認されている界面活性剤を使用している石鹸液に布を漬けて乾燥させた後、別の布に重ねてマスクとして使用する方法。
【図面の簡単な説明】
【０００４】
【第１図】
マスクの断面構造の一例。
【符号の説明】
【０００５】１．界面活性剤を含浸させた布  ２．普通の布  ３．ひも
2005230478.tif 000003
【手続補正書】
【提出日】平成16年2月11日(2004.2.11)
【手続補正１】
【補正対象書類名】特許請求の範囲
【補正対象項目名】全文
【補正方法】変更
【補正の内容】
【特許請求の範囲】
【請求項１】
重症呼吸器症候群（サーズ）の羅患予防用マスクとして、石鹸液がサーズウィルスを完全殺菌するのが確認されている石鹸液を布に浸し、それを乾燥させてマスクとして使用して、サーズウィルスが人体に浸入して空気伝染するのを防止する方法。
【請求項２】
上記第一項の石鹸がサーズウィルスを殺菌するのは、石鹸に含まれる特定の界面活性剤の殺菌作用によって殺菌が行われる為サーズウィルスに対して殺菌効果をもつ界面活性剤を含む石鹸又は薬剤を使用することがこのマスクの構成要素として必要条件である。
【請求項３】
前記マスクを使用するのに、人体に過剰に界面活性剤を吸入しないように石鹸水を浸した布とは別に布を重ねて使用する上、更に活性炭等の吸着剤を重ねて使用することによって、石鹸水が多く人体内に侵入するのを防止する方法。
【手続補正２】
【補正対象書類名】明細書
【補正対象項目名】全文
【補正方法】変更
【補正の内容】
【発明の詳細な説明】
【技術分野】
【０００１】      この発明は、サーズウィルスによる空気伝染予防用に関する技術分野です。
【技術背景】
【０００２】      ある種の石鹸がサーズウィルスに対して殺菌効果があることが確認されていますが、未だ人体えの予防手段は具体的に確立されていません。
【発明の開示】
【０００３】      サーズウィルスに対して殺菌効果が確認されている界面活性剤を含む石鹸水を布に浸し、別の布を重ねて使用し、更に活性炭を布に包んで張合わせてマスクとして呼吸器を通じて人体に侵入するのを防止する予防法。
【図面の簡単な説明】
【０００４】【図１】マスクの断面構造の一例
【符号の説明】
【０００５】      １．界面活性剤を含浸させて乾燥させた布      ２  普通の布      ３．紐      ４．活性炭の入った袋
【手続補正３】
【補正対象書類名】図面
【補正対象項目名】全図
【補正方法】変更
【補正の内容】
【書類名】図面    【図１】2005230478.tif 000004
(57)【要約】【課題】殺虫剤では制限があり、かかった場合でも逃げ回られたり、高い所にいたりするゴキブリを捕まえる事が難しく、また、殺虫剤に慣れてしまう可能性があり、殺虫剤の効果を強くして行く事も考えられるので、この吸引キャッチを使えば殺虫剤に慣れる事なく捕獲出来る。【解決手段】ゴキブリを発見したら電気掃除機に取り付けたフィルターでゴキブリを吸引することにより手も汚れず簡単に処理出来る用にした。【選択図】    図４
2005230480.tif 000002
【特許請求の範囲】
【請求項１】
吸い込み防止パイプに交換式のフィルター、捕獲ヘッドを取り付けたゴキブリ吸引キャッチ。
【発明の詳細な説明】
【発明の詳細な説明】
【発明に属する技術分野】
【０００１】本発明は、吸い込み防止パイプに交換式のフィルター、捕獲ヘッドを取り付け、電気掃除機でゴキブリを吸引してつぶさずに捕獲することが出来る物である。
【背景技術】
【０００２】従来では、ゴキブリが台所や人が寝ている所に出た場合、殺虫剤の使用が出来ず又、使用出来る場合でも殺虫後に薬剤がかかった所のふき取り掃除や、ゴキブリの死骸の始末が大変であり、かかった場合でも逃げられてしまうことがある。
【発明を実施するための最良の形態】
【０００３】本発明は、電気掃除機のパイプに本発明の吸い込み防止パイプ、交換式のフィルター、捕獲ヘッドを取り付けゴキブリを見けたら電気掃除機のスイッチを入れ、ホースパイプを一気にゴキブリの所に持って行き吸引する。その後、捕獲ヘッドを外しフィルターを畳み込んでスイッチを切ってフィルターを外しテープ、輪ゴム等でゴキブリが出ないように閉じる。
【発明の効果】
【０００４】このようにすれば、ゴキブリや害虫が出た場合でも電気掃除機に取り付けたフィルターでゴキブリや害虫を捕獲することで殺虫剤を使用する事なく、手も汚れず簡単に始末することが出来る。
【図面の簡単な説明】
【図１】  吸い込み防止パイプ。
【図２】  交換式フィルター。
【図３】  捕獲ヘッド。
【図４】  図１から図３を装着した物である。
【符号の説明】
１  プラスチック
２  紙
３  スポンジ
【図１】
2005230480.tif 000003
【図２】
2005230480.tif 000004
【図３】
2005230480.tif 000005
【図４】
2005230480.tif 000006
(57)【要約】【課題】婦人用ワンピースのファスナーは、一人で着用する時、非常に難儀な物であり、出掛ける時又は急用の時等は婦人に取って、非常に手間取っているものと推察する。本件の発想は、家内のファスナー掛けを手助けしている時ひらめき、試作品を作成、実用可能と判断出来たので「ジップアッパー」と銘打ち特許申請を行った。【解決手段】ファスナーに「ジップアッパー」の１のツメを掛け、折りたたんである箇所を伸ばし、２の指掛けに指を入れ肩越しに自分の前面に引き上げ、ファスナーを上まで上げ、ファスナーに手が届いたら「ジップアッパー」を外す。簡単に一人でファスナーアップが出来るようになる。【特許請求の範囲】
【請求項１】
携帯用折りたたみ式ファスナーアッパーを考案した。
【請求項２】
婦人用ワンピースのファスナーアップが一人ですることが出来ないため、昨今の婦女子はワンピース着用を避け、気軽なジーインズとポロシャツに移行しており、この製品の発売により一人でファスナーアップが出来るようになり婦女子のワンピース姿が復活する。
ファスナーアップが一人で出来る、携帯用折りたたみ式の「ジップアッパー」。
【発明の詳細な説明】
【技術分野】
【０００１】プラスチック、アルミ又はプラチナ等の製品加工技術。
【背景技術】
【０００２】携帯出来なお且つ軽量、折りたたみ式の製品につき製品の材質は、プラスチック、アルミ又は高級製も考えプラチナ等も使用、但し条件として洋服地を傷めない材質を最優先とする。
【発明の開示】
【発明が解決しようとする課題】
【０００３】ファスナーアップが一人で出来る
【課題を解決するための手段】
【０００４】婦女子のハンドバックの中に携帯出来、しかも簡単に取り扱いが出来る
【発明の効果】
【０００５】婦女子一人で気軽にワンピースの着用が出来る
【発明をするための最良の形態】
【０００６】この発明の一実施形態を図１に示す。
2005230479.tif 000002
【０００７】「実施形態の効果」
2005230479.tif 000003
【図面の簡単な説明】
【０００８】
【図１】この発明の一実施形態を示す斜視図である。
【符号の説明】
１  ツメ
２  指掛け
１Ｊ〜６Ｊ  ジョイントネジ（折りたたみ箇所）
【図１】
2005230479.tif 000004
【図２】
2005230479.tif 000005
【手続補正書】
【提出日】平成16年5月6日(2004.5.6)
【手続補正１】
【補正対象書類名】明細書
【補正対象項目名】０００８
【補正方法】変更
【補正の内容】
【０００８】
【図１】この発明の一実施形態を示す斜視図である。
【図２】この発明の一実施形態の折りたたみ箇所を示す側面図である。１のツメをファスナーに掛け、２の指掛けに指を入れ２の方向へ引く  １Ｊから６Ｊはジョイントネジ（折りたたみ箇所）
(57)【要約】【課題】従来、足の裏を刺激する履物はあったが、足のつま先部や指の間を指圧したりマッサージしたりできる履物はなかった。そのため今までは足先を、手を使って刺激するなどでその疲れをとるなどの方法しかなかったが、本発明は、サンダル等を履いて歩くだけで、つぼ指圧およびマッサージ効果を与えることの出来る履物を提供する。【解決手段】本発明は５本の指の間、４箇所に棒状の突起を取り付け、その棒を５本の指がそれぞれに挟むことが出来るようにした。サンダルの場合には親指と人差し指の間には鼻緒があるのでそれ以外の３箇所に棒状の突起を取り付け足指全体ではさんで歩く形状を作った。これにより、５本の指を同時に刺激し、足の指先に数多く集中しているつぼを指圧および刺激し、効果的にマッサージ効果を得ることが出来るようにした。【選択図】  図１
2005230492.tif 000002
【特許請求の範囲】
【請求項１】
（１）
５本の指の間４箇所に棒状の突起を取り付け、その棒を指で挟むようにしたことにより指の間を広げながら刺激し、つぼ指圧効果およびマッサージ効果を与えることのできる器具、サンダル、および、靴、履物。
【発明の詳細な説明】
【技術分野】
【０００１】本発明は、足指の間に棒を挟み込む仕組みを作り、指の間を押し広げ刺激することが出来る様にして、５本の指を同時に、つぼ指圧効果およびマッサージ効果を簡単に手軽に出来るようにしたものである。
【背景技術】
【０００２】もともと靴には、足の指の間を刺激する、部位はなく、また、草履や、サンダルにおいても鼻緒は、親指と人差し指の間にあるだけであり、その目的もサンダルや草履が、足にしっかりと固定されることを目的としたものであった。
【発明の開示】
【発明が解決しようとする課題】
【０００３】従来、足の裏を刺激する履物はあったが、足のつま先部や指の間を指圧したりマッサージしたりできる履物はなかった。そのため今までは足先を、手を使って刺激するなどでその疲れをとるなどの方法しかなかったが、本発明は、サンダル等を履いて歩くだけで、つぼ指圧およびマッサージ効果を与えることの出来る履物を提供する。
【課題を解決するための手段】
【０００４】本発明は５本の指の間、４箇所に棒状の突起を取り付け、その棒を５本の指がそれぞれに挟むことが出来るようにした。サンダルの場合には、親指と人差し指の間には鼻緒があるのでそれ以外の３箇所に棒状の突起を取り付け足指全体で挟んで歩く形状を作った。これにより、５本の指および指の間を広げながら同時に刺激し、足の指先に数多く集中しているつぼを指圧および効果的にマッサージが出来るようにした。
【発明を実施するための最良の形態】
【０００５】以下、本発明を実施するための最良の形態について説明する。
（イ）  足指間を押し広げ刺激するため、サンダル本体の上面に四本の棒状の突起を取り      付けた。
（ロ）  その突起は実験により、直径五ｍｍから一ｃｍの丸棒状にし、先端を安全性と履      きやすさを両立させるため図３の２のように棒の直径より少し大きめの球体状に丸      めてある
（ハ）  突起は必ずしも四箇所すべてを刺激する必要のない場合も個人的にはあると予測      されるため、本発明では突起をそれぞれにとりはずせる構造にしてある。
【実施例】
【０００６】従来足のつま先部分は靴を履いて歩いたりすると常に圧迫され特に長時間歩くと足の指は非常なストレスを発生していたため、足先を手を使って刺激するなどでその疲れをとるなどの方法しかなかったが、本発明は、サンダルの指の間、全部に突起を取り付けそれを指が挟むようにしてあるので、歩くだけで、指の間全部を常に刺激でき、足指間にある多くのつぼが集中しているその場所を効果的に刺激し、つぼ指圧効果およびマッサージ効果を手軽に得る事が出来、特に外反母趾の治療にも効果がある。
【図面の簡単な説明】
【０００７】
【図１】本発明の使用状態を示す立体図である
【図２】本発明の上面図である。
【図３】本発明の側面図である。
【符号の説明】
【０００８】１  サンダル本体
２  突起（棒）
３  鼻緒
４  足
【図１】
2005230492.tif 000003
【図２】
2005230492.tif 000004
【図３】
2005230492.tif 000005
(57)【要約】【課題】  シャツやズボンを洗濯して干す時、乾き残しが無いように形を変えるハンガーを提供する。【解決手段】  ハンガー本体３の肩部分にスライド部２を取り付け、それをスライドさせることにより、シャツの袖の一部まで掛けることができるようにし、風通しをよくする。また、ズボンを干すときに回転部４を本体と垂直方向に回転させることにより、洗濯物に幅をもたせ、よく乾くようにする。【選択図】  図１
2005230491.tif 000002
【特許請求の範囲】
【請求項１】
ハンガーの肩部分をスライドさせることにより、ハンガーにシャツを掛けたとき袖が一部持ち上がるようにした。
【請求項２】
ハンガーの中の部分を回転させる事により、ハンガーに掛けたズボンが広がるようにした。
【発明の詳細な説明】
【発明の詳細な説明】
【技術分野】
【００１】本発明は、シャツを洗濯したときに乾かし易いように、袖の一部にまでハンガーが届くようにし、袖を持ち上げる事により袖と脇の間に風が通るようにした。
又、ズボンを洗濯したときに乾かし易いように、ズボンの足部分と股部分が広がるようにしたものである。
【背景技術】
【００２】従来は幅を広げるようなハンガーはなかった。
【発明が解決しようとする課題】
【００３】大きくて複雑な形の洗濯物も、乾き残しがなくなる。
【課題を解決するための手段】
【００４】ハンガー本体３にスライド部２を装着しスライドさせる事により、シャツを干す時袖の一部が持ち上がり、袖と脇の部分に風が通り乾き易くなる。
また、ハンガー本体３に回転部４を装着し、ズボンを干すとき回転部４を本体と垂直になる向きに回転させ、ズボンの股部分、足部分を広げることにより、風が通り乾き易くなる。
【発明の実態の形態】
【００５】以下、本発明の形態について説明する。
（イ）ハンガー本体３の肩部分にスライド部２をとりつけ、肩部分でスライドするようにする。
（ロ）ハンガーの引っ掛け部１の下部に、ハンガー本体の肩部分より短い長さの回転部４を付け、３６０度回転するようにする。
【発明の効果】
【００６】スライド部２と回転部４を利用することにより、洗濯物の乾き残しがなくなる。
【図面の簡単な説明】
【図１】  本発明の正面図である。
【図２】  本発明のスライド部を使用した時を上から見た図である。
【図３】  本発明の回転部を使用した時を上から見た図である。
【符号の説明】
１  引っ掛け部
２  スライド部
３  ハンガー本体
４  回転部
【図１】
2005230491.tif 000003
【図２】
2005230491.tif 000004
【図３】
2005230491.tif 000005
(57)【要約】      （修正有）【課題】ブラシを回転させ靴の汚れを安易に落とすことが出来るハンデイ型靴洗い電動ブラシを提供する。【解決手段】電池又は及びＡＣアダプタを電源とする小型モータ１の軸２の先端部に小型のギヤ３を取り付け、このギヤ３に係合し回転数をおとすギヤ４を介して回転軸６を設け、この回転軸６に連結器を経てブラシ７を設けた電動ブラシを、一端部内に電池Ｃ、および又はＡＣアダプタ端子９を設けたハンデイ型回転式電動ブラシ。【選択図】図２
2005230496.tif 000002
【特許請求の範囲】
【請求項１】
電池又は及びＡＣアダプタを電源とする小型モータの軸に小型ギヤを取り付け、このギヤに係合し回転数をおとすギヤ４を介して回転軸６を設け、この回転軸に連結器を経て電動ブラシをつなぎ、他端部内に電池又は及びＡＣアダプタ入力端子を設けたことを特徴とする靴洗い電動ブラシ。
【発明の詳細な説明】
【発明の詳細な説明】
【技術分野】
【０００１】この発明はブラシを回転させることによって靴の汚れを容易に落とすことが出来るようにした回転式電動ブラシに関するものである。
【背景技術】
【０００２】従来、靴を洗う場合は棒がついたたわしを使用し手動で洗っていた。
【発明が解決しようとする課題】
【０００３】しかし棒つきたわしは形状が大きく靴の中の先端部を洗浄することは困難であった。
本発明は小型モータでブラシを回転させることによって先端まで容易に汚れを落とすことが出来る。
【課題を解決するための手段】
【０００４】上記目的を達成するためほん発明は、電池を及び又はＡＣアダプタを電源とする小型モータ１の軸２の先端部に小型のギヤ３を取り付け、このギヤ３に係合し回転数をおとすギヤ４を介して回転軸を設け、この回転軸６の先端部にブラシ７を設けた電動ブラシを、他端部内に電池Ｃ又は及びＡＣアダプタ端子９を設けたものである。
【発明を実施するための最良の形態】
【０００５】上記のように構成した本発明を実際に使用する場合は、次のようになる。水またはお湯につけて濡らした靴の汚れた箇所又はブラシ７に石鹸や洗剤等を付け、片手で握り部Ｂを握り電源スイッチ８をＯＮにしてブラシ７を回転させ、汚れた所に当てて、回転動作で外回りから内部の先端まで容易に汚れを取り除くことが出来る。
また回転軸６に連結部１０でつなぐブラシ７は靴のサイズに合わせた大きさのものと簡単に取り替えることができる。
【実施例】
【０００６】以下本発明の実施例を説明する。本発明は電池又は及びＡＣアダプタを電源としたもので、この電源を利用してブラシを回転させることによって靴の外面から内面の先端まで容易に汚れを取り除こうとするもので、小型モータ１の軸２に小型のギヤを取り付け、このギヤに係合する回転数をおとすギヤ４を介して回転軸６を設け、この回転軸６に連結器１０を備え連結器１０でブラシ７を繋いだ電動ブラシで、他端部内に電源スイッチ及び電池Ｃ及び又はＡＣアダプタの入力端子９を設けたものである。
【発明の効果】
【０００７】ブラシは回転するので汚れた靴の外回りは勿論手の届き難い内回りの先端部まで容易に汚れを取り除くことが出来る。
またブラシ７は簡単に連結部１０で取替えることができる。
【図面の簡単な説明】
【０００８】
【図１】本発明の斜視図である。
【図２】本発明の断面図である。
【符号の説明】
１    モータ
２    モータ軸
３    小型ギヤ
４    回転をおとすギヤ
５    軸受け部
６    回転軸
７    ブラシ
８    電源スイッチ
９    ＡＣアダプタ入力端子
１０  連結部
Ａ    ブラシ本体
Ｂ    握り部
Ｃ    電池
【図１】
2005230496.tif 000003
【図２】
2005230496.tif 000004